(57)【要約】      （修正有）【課題】使用状態において使用者の背骨を湾曲した状態に維持することでストレッチ効果を高めることができるストレッチ器具を提供する。【解決手段】支持面１０に設置されて、その上側に使用者が乗用して使用されるとともに、使用者の背骨に沿って長尺に形成されたストレッチ器具１であって、長手方向の中央部に上向き凸に形成されて使用者の背中が載置される第１載置部２１と、一端部に第１載置部よりも低い位置に形成されて使用者の臀部が載置される第２載置部２２と、他端部に第１載置部よりも低い位置に形成されて使用者の頭部が載置される第３載置部２３と、を有し、使用状態において、第１載置部、第２載置部、及び第３載置部の高さ関係が維持される。【選択図】図１
0003177725.tif 000002
【実用新案登録請求の範囲】
【請求項１】
支持面に設置されて、その上側に使用者が乗用して使用されるとともに、使用者の背骨に沿って長尺に形成されたストレッチ器具であって、
長手方向の中央部に上向き凸に形成されて使用者の背中が載置される第１載置部と、
一端部に前記第１載置部よりも低い位置に形成されて使用者の臀部が載置される第２載置部と、他端部に前記第１載置部よりも低い位置に形成されて使用者の頭部が載置される第３載置部と、を有し、
使用状態において、前記第１載置部、前記第２載置部及び、前記第３載置部の高さ関係が維持されることを特徴とするストレッチ器具。
【請求項２】
前記第１載置部は、前記支持面と平行に形成された平行面を有し、
前記平行面は、前記胸椎のうちいずれか１つが載置される大きさに設定されていることを特徴とする請求項１記載のストレッチ器具。
【請求項３】
前記第１載置部と前記第２載置部との間には、前記第２載置部よりも低い位置に第１谷部が設けられ、
前記第１載置部と前記第３載置部との間には、前記第３載置部よりも低い位置に第２谷部が設けられていることを特徴とする請求項１又は請求項２記載のストレッチ器具。
【請求項４】
前記第１載置部、前記第２載置部及び前記第３載置部を含む上面側に所定の厚みを有して構成された弾性部と、
前記弾性部の内側に設けられ、前記弾性部より剛性が高い合成樹脂又は金属から構成された骨格部と、から構成され、
前記骨格部が、前記第２載置部から前記第３載置部に亘って設けられていることを特徴とする請求項１乃至請求項３のうちいずれか一項記載のストレッチ器具。
【請求項５】
前記骨格部の前記支持面側の底面は、長手方向の両端部に前記支持面に当接する一対の当接面と、前記一対の当接面間に設けられて前記支持面から離間するように徐々に離れる方向に傾斜して形成された離間面と、有していることを特徴とする請求項４記載のストレッチ器具。
【考案の詳細な説明】
【技術分野】
【０００１】
本考案は、床などの支持面に設置されるとともに、その上側に使用者が乗用して使用されるとともに、使用者の背骨に沿って長尺に形成されたストレッチ器具に関するものである。
【背景技術】
【０００２】
従来、例えば、図９に示すように、内部に弾材１０３が詰め込まれた長方形状の本体１０２の一表面に、中央部に長さ方向に沿って大きく湾曲する第一の膨出部１０４を設けるとともに、両端部を小さく湾曲する第二の膨出部１０５を設けて、第一の膨出部１０４と第二の膨出部１０５との間に下方に湾曲する第一の凹部１０６を形成し、第一の膨出部１０４内に、本体１０２部内の弾材１０３よりも強い弾力の小片１０８を詰め込んだボール１０７を埋設したクッション１０１が提案されている（例えば、特許文献１参照）。
【０００３】
従来のクッション１０１は、仰臥姿勢でクッション１０１を背骨に沿って当てがい、一方端の小さく湾曲する第二の膨出部１０５を首筋から後頭部に、他方端の第二の膨出部１０５をウエスト部に当て、両肩甲骨間に第一の膨出部１０４内に埋設されたボール１０７を当て、背中を反り返させて使用されていた。
【先行技術文献】
【特許文献】
【０００４】
【特許文献１】実用新案登録第３１６００５１号公報
【考案の概要】
【考案が解決しようとする課題】
【０００５】
しかしながら、従来のクッション１０１は、第一の膨出部１０４内のみに、本体１０２部内の弾材１０３よりも強い弾力の小片１０８を詰め込んだボール１０７が埋設されていたため、使用状態において、使用者の体重がかけられて第二の膨出部１０５が潰されて、使用者が、背筋を伸ばした姿勢を維持することができないという問題があった。
【０００６】
本考案の目的は、使用者の体が、首、肩、腰にかけて緩やかなカーブをなすＳ字ラインを作るとともに背筋を伸ばした姿勢を維持することでストレッチ効果を高めることができるストレッチ器具を提供することにある。
【課題を解決するための手段】
【０００７】
請求項１に記載の本考案は、支持面に設置されて、その上側に使用者が乗用して使用されるとともに、使用者の背骨に沿って長尺に形成されたストレッチ器具であって、長手方向の中央部に上向き凸に形成されて使用者の背中が載置される第１載置部と、一端部に前記第１載置部よりも低い位置に形成されて使用者の臀部が載置される第２載置部と、他端部に前記第１載置部よりも低い位置に形成されて使用者の頭部が載置される第３載置部と、を有し、使用状態において、前記第１載置部、前記第２載置部及び、前記第３載置部の高さ関係が維持されることを特徴とするストレッチ器具である。
【０００８】
請求項２に記載の本考案は、請求項１記載のストレッチ器具において、前記第１載置部は、前記支持面と平行に形成された平行面を有し、前記平行面は、前記胸椎のうちいずれか１つが載置される大きさに設定されていることを特徴とする。
【０００９】
請求項３に記載の本考案は、請求項１又は請求項２記載のストレッチ器具において、前記第１載置部と前記第２載置部との間には、前記第２載置部よりも低い位置に第１谷部が設けられ、前記第１載置部と前記第３載置部との間には、前記第３載置部よりも低い位置に第２谷部が設けられていることを特徴とする。
【００１０】
請求項４に記載の本考案は、請求項１乃至請求項３のうちいずれか一項記載のストレッチ器具において、前記第１載置部、前記第２載置部及び前記第３載置部を含む上面側に所定の厚みを有して構成された弾性部と、前記弾性部の内側に設けられ、前記弾性部より剛性が高い合成樹脂又は金属から構成された骨格部と、から構成され、前記骨格部が、前記第２載置部から前記第３載置部に亘って設けられていることを特徴とする。
【００１１】
請求項５に記載の本考案は、請求項４記載のストレッチ器具において、前記骨格部の前記支持面側の底面は、長手方向の両端部に前記支持面に当接する一対の当接面と、前記一対の当接面間に設けられて前記支持面から離間するように徐々に離れる方向に傾斜して形成された離間面と、有していることを特徴とする。
【考案の効果】
【００１２】
請求項１に記載の本考案によれば、長手方向の中央部に上向き凸に形成されて使用者の背中が載置される第１載置部と、一端部に第１載置部よりも低い位置に形成されて使用者の臀部が載置される第２載置部と、他端部に第１載置部よりも低い位置に形成されて使用者の頭が載置される第３載置部と、を有し、使用状態において、第１載置部、第２載置及び第３載置部の高さ関係が維持されるから、腹部が伸びることとなり、使用者の体が、首、肩、腰にかけて緩やかなカーブをなすＳ字ラインを作るとともに背筋を伸ばした姿勢を維持することでストレッチ効果を高めることができる。
【００１３】
請求項２に記載の本考案によれば、第１載置部は、支持面と平行な平行面を有し、平行面は、胸椎のうちいずれか１つが載置される大きさに設定されているから、使用者は、ストレッチ器具の適切な位置に位置決めされて乗用することとなり、より一層効果的にストレッチすることができる。
【００１４】
請求項３に記載の本考案によれば、第１載置部と第２載置部との間には、第２載置部よりも低い位置に第１谷部が設けられ、第１載置部と第３載置部との間には、第１谷部よりも低い位置に第２谷部が設けられているから、ストレッチ器具における第１載置部、第２載置部、及び第３載置部以外の部分が使用者の体に接触することがなくなるとともに、第１谷部と腰部との間に空洞ができるように腰部を持ち上げることで、腹部が伸びて、より一層効果的にストレッチすることができる。
【００１５】
請求項４に記載の本考案によれば、弾性部と、弾性部の内側に設けられ、弾性部より剛性が高い合成樹脂又は金属から構成された骨格部と、から構成され、骨格部が、第２載置部から第３載置部に亘って設けられているから、使用状態において、第１載置部、第２載置部、及び第３載置部の高さ関係を維持することができる。
【００１６】
請求項５に記載の本考案によれば、骨格部の支持面側の底面は、長手方向の両端部に前記支持面に当接する一対の当接面と、一対の当接面間に設けられた離間面と、有しているから、支持面に安定的に設置される。また、離間面が設けられているから軽量化を図ることができる。
【図面の簡単な説明】
【００１７】
【図１】本考案の一実施の形態にかかるストレッチ器具の平面図である。
【図２】ストレッチ器具の使用状態を示す図である。
【図３】（ａ）は、図１中のＩ−Ｉ線に沿う断面図であり、（ｂ）は、図１中のＩＩ−ＩＩ線に沿う断面図であり、（ｃ）は、図１中のＩＩＩ−ＩＩＩ線に沿う断面図であり、（ｄ）は、図１中のＩＶ−ＩＶ線に沿う断面図であり、（ｅ）は、図１中のＶ−Ｖ線に沿う断面図である。
【図４】図１に示されたストレッチ器具を載置面側から見た平面図である。
【図５】（Ａ）は、図１に示されたストレッチ器具を構成する骨格部を示す斜視図であり、（Ｂ）は、（Ａ）の断面図である。
【図６】（Ａ）は、図５に示された骨格部を分解して示す斜視図であり、（Ｂ）は、（Ａ）を組み立てる様子を示す図である。
【図７】図５に示された骨格部に弾性部を組み付ける様子を示す斜視図である。
【図８】図１に示されたストレッチ器具を支持面側から見た平面図である。
【図９】従来のクッションを示す断面斜視図である。
【考案を実施するための形態】
【００１８】
以下、本考案の一例である一実施の形態にかかるストレッチ器具を、図１〜図８に基いて説明する。図１、図２などに示されたストレッチ器具１は、床などの支持面１０に設置されるとともに、その上側に使用者が乗用して使用されるものであり、使用者の背骨に沿って長尺に形成されている。このストレッチ器具１は、使用者が仰臥姿勢で乗用する載置面２０を有するとともに所定の厚みを有して構成された弾性部２と、弾性部２の内側に埋設されて、弾性部２を支持する骨格部３と、から構成されている。図１中の矢印Ｙはストレッチ器具１の長手方向を示し、矢印Ｚは高さ方向を示し、図３などに示す矢印Ｘは長手方向と高さ方向との双方向に直交する幅方向を示している。
【００１９】
弾性部２は、軟質ウレタンフォーム（発泡ポリウレタン）からなり、使用者がストレッチ器具１の上側に乗用することにより体重がかけられた際に、体が沈まない程度の厚みを有して構成されている。
【００２０】
載置面２０は、図３に示すように、長手方向（矢印Ｙ方向）のいずれの位置においても、幅方向（矢印Ｘ方向）の両端から中央に向かうに従って、その高さが徐々に高くなるような曲面を有して形成されている。
【００２１】
この載置面２０には、図１に示すように、長手方向（矢印Ｙ方向）の中央部に使用者の背中が載置される第１載置面２１（第１載置部）と、長手方向の一端部に使用者の臀部が載置される第２載置面２２（第２載置部）と、長手方向の他端部に使用者の頭部が載置される第３載置面２３（第３載置部）と、が設けられている。第１載置面２１には載置面２０における最も高い位置に第１頂部２ａが設けられている。第２載置面２２には第１頂部２ａよりも低い位置に第２頂部２ｂが設けられ、第３載置面２３には、第２頂部２ｂよりも低い位置に第３頂部２ｃが設けられている。
【００２２】
第１載置面２１は、支持面１０と平行に形成され、使用者の胸椎のうち一つが載置される程度の大きさに形成されて支持面１０と平行な平行面（第１載置面２１と同一符号を付す）から構成されている。この平行面２１には、胸椎のうちいずれか１つが載置される。本明細書中では、第１頂部２ａは平行面２１における長手方向の中心部を示している。
【００２３】
さらに、載置面２０には、第１載置面２１と第２載置面２２との間に位置する第１谷部２４と、第１載置面２１と第３載置面２３との間に位置する第２谷部２５と、が設けられている。第１谷部２４には第３頂部２ｃよりも低い位置に第１底部２ｄが設けられ、第２谷部２５には第１底部２ｄよりも低い位置に第２底部２ｅが設けられている。第１谷部２４は、その長手方向の両端部が第１載置面２１及び第２載置面２２の端部に連なり、第１底部２ｄにかけてなだらかな下り勾配を有する曲面に形成されている。第２谷部２５は、その長手方向の両端部が第１載置面２１及び第３載置面２３の端部に連なり、第２底部２ｅにかけてなだらかな下り勾配を有する曲面に形成されている。
【００２４】
また、載置面２０は、図４に示すように、第１載置面２１における最も幅が広い部分の寸法Ｗ１が、第２載置面２２における最も幅が広い部分の寸法Ｗ２よりも小さく形成され、かつ、第３載置面２３における最も幅が広い部分の寸法Ｗ３よりも大きく形成されている。また、第１谷部２４における最も幅が広い部分の寸法Ｗ４は、第３載置面２３の寸法Ｗ３よりも小さく形成され、かつ、第２谷部２５における最も幅が広い部分の寸法Ｗ５よりも大きく形成されている。
【００２５】
骨格部３は、弾性部２よりも剛性が高いＡＢＳ樹脂などの合成樹脂から構成されている。骨格部３は、図５、図６に示すように、第１載置面２１を有する弾性部２の内側に位置する第１骨格部３１と、第２載置面２２を有する弾性部２の内側に位置する第２骨格部３２と、第３載置面２３を有する弾性部２の内側に位置する第３骨格部３３と、で構成され、これら骨格部３１、３２、３３は組み立てられて一体に形成されている。第１骨格部３１は、図６に示すように、第１本体部３４と、第１本体部３４の長手方向の両端部に設けられた一対の第１連結部３５と、を備えている。第２、第３骨格部３２、３３は、各々が第２本体部３６と、第２本体部３６の第１骨格部３１側の端部に設けられた第２連結部３７と、を備えている。第１、第２本体部３４、３６は、各々が支持面１０側の底面３０が開口しているとともに、その内側が肉抜きされて中空に形成されている。第１、第２本体部３４、３６の底面３０は、図５（Ｂ）に示すように、その長手方向の両端部に支持面１０に当接した一対の当接面３０ａ、３０ｂと、一対の当接面３０ａ、３０ｂの各々に連なるとともに、一対の当接面３０ａ、３０ｂから中央部に向かうに従って、支持面１０から離間するように徐々に離れる方向（矢印Ｚ方向）に傾斜して形成された離間面３０ｃと、を有している。一方の当接面３０ａは、第２載置面２２側（一端部側）に設けられ、第１底部２ｄよりも第１載置面２１側（中央側）まで形成されている。他方の当接面３０ｂは、第３載置面２３側（他端部側）に設けられ、第２底部２ｅよりも第１載置面２１側（中央側）まで形成されている。また、第１、第２本体部３４、３６の各々の開口を構成する縁部（底面３０）は、図８に示すように、弾性部２の底面２０と面一になるように形成されている。
【００２６】
第１連結部３５は、図５、図６に示すように、本体部３４から長手方向に沿って延出された延出部３５Ａと、載置面２０側から凹に形成されるとともに本体部３４の長手方向の端部を切り欠いて形成されて、第２連結部３７に設けられた延出部３７Ｂが収容される収容部３５Ｂと、を備えている。延出部３５Ａは、図６に示すように、収容部３５Ｂよりも底面３０側に設けられている。また、延出部３５Ａの載置面２０側の天面３５ａと、収容部３５Ｂの底面３５ｂとは面一に連なって設けられている。延出部３５Ａの天面３５ａ及び、収容部３５Ｂの底面３５ｂには、ねじ穴（図示しない）が形成されている。
【００２７】
第２連結部３７は、図５、図６に示すように、本体部３６から長手方向に沿って延出された延出部３７Ａと、載置面２０側から凹に形成されるとともに本体部３６の長手方向の端部を切り欠いて形成されて、第１連結部３５に設けられた延出部３５Ａが収容される収容部３７Ｂ（図６（Ｂ）に示す）と、を備えている。延出部３７Ａは、図６に示すように、収容部３７Ｂよりも載置面２０側に設けられている。収容部３７Ｂには、第１連結部３５のねじ穴（図示しない）と連通する位置にねじ穴（図示しない）が形成されたナット部３７Ｃが固定されている。
【００２８】
延出部３７Ａには、図６（Ａ）に示すように、幅方向（矢印Ｘ方向）の側面に高さ方向（矢印Ｚ方向）に延びた溝部３８が設けられ、収容部３５Ｂには、幅方向の側面に溝部３８に係止する突条部３９が設けられている。
【００２９】
骨格部３を組み立てる際には、図６（Ａ）に示すように、第１骨格部３１の収容部３５Ｂに載置面２０側から第２骨格部３２の延出部３７Ａを近付け、溝部３８と突条部３９とを近付けて、延出部３５Ａを収容部３７Ｂ内に収容するとともに延出部３７Ａを収容部３５Ｂ内に収容し、溝部３８と突条部３９とを係止させて、この状態で、底面３０側からねじ２をねじ穴に螺合して、第１骨格部３１と第２骨格部３２を固定する。これと同様の作業を行って、第１骨格部３１と第３骨格部３３とを固定する。こうして、第１、第２、第３骨格部３１、３２、３３が連結された骨格部３が組み立てられる。この骨格部３の底面３０以外の外面に、溶融された樹脂を射出成形することで、弾性部２と骨格部３とが一体成形されたストレッチ器具１が製造される。
【００３０】
このように形成されたストレッチ器具１は、図１に示すように、第１頂部２ａにおける高さ寸法Ｈ１を８７ｍｍ、底面３０（支持面１０）から第２頂部２ｂまでの高さ寸法Ｈ２を１３５ｍｍ、底面３０から第３頂部２ｃまでの高さ寸法Ｈ３を９８ｍｍ、底面３０から第１底部２ｄまでの高さ寸法Ｈ４を９０ｍｍ、底面３０から第２底部２ｅまでの高さ寸法Ｈ５を６５ｍｍ、支持面１０から第１頂部２ａに相対する支持面１０側の位置までの寸法Ｈ６を８８ｍｍに形成された。また、ストレッチ器具１は、第１載置面２１（平行面２１）の長手寸法Ｌ１が２０ｍｍになるように形成され、一端から第１頂部２ａまでの長手寸法Ｌ２を５００ｍｍ、他端から第１頂部２ａまでの長手寸法Ｌ３を４３０ｍｍに形成された。また、ストレッチ器具１は、図４に示すように、第１載置面２１における最も幅広な部分の寸法Ｗ１を１３５ｍｍ、第２載置面２２における最も幅広な部分の寸法Ｗ２を１３８ｍｍ、第３載置面２３における最も幅広な部分の寸法Ｗ３を１００ｍｍに形成された。上記各寸法は、日本人女性の平均身長から算出した値が用いられている。尚、本実施形態において、上記各寸法等はあくまでも一例であり、本考案においては使用者の体格に応じて適宜形成すればよい。
【００３１】
次に、ストレッチ器具１の使用方法、及び作用について説明する。ストレッチ器具１を支持面１０に設置し、仰臥姿勢で、第２載置面２２に臀部を載置し、支持面１０に両手両肘をつけて第１載置面２１に使用者の胸椎のうちいずれか一つを載置し、第３載置面２３に頭部を載置して、ストレッチ器具１に乗用する。この際、第１載置面２１に使用者の胸椎のうちいずれか一つが載置されるから、腹部が伸びる。そして、第１谷部２４と腰部との間に空洞ができるように腰部を持ち上げて、腹部を伸ばす。この状態で、両手を頭部の上に移動させ、両手と両足とで平面視がＸ字状をなすように両肘を伸ばすとともに両足を広げる。即ち、体の中心部と両手とを結ぶ線分の成す角度と、体の中心部と両足とを結ぶ線分の成す角度が対角となるように両手両足を広げる。この状態で、手のひらが互いに向かい合うように小指を支持面１０から離れた天井に向けるとともに、つま先を天井に向ける。この姿勢で数回深呼吸をする。こうすることで、使用者の体が、首、肩、腰にかけて緩やかなカーブをなすＳ字ラインを作るとともに背筋を伸ばした姿勢を維持することとなり、首部、両肩甲骨、両上腕骨、胸椎、及び腰椎近傍の筋肉、横隔膜、腹直筋、腸腰筋左、腸腰筋右、股関節左、股関節右を同時に効果的にストレッチすることができる。
【００３２】
なお、上述した実施形態では、骨格部３は、合成樹脂から構成されているが、本考案はこれに限ったものではなく、骨格部は、弾性部２よりも剛性が高い金属から構成されていてもよい。
【００３３】
また、上述した実施形態では、弾性部２と骨格部３とは射出成形によって一体成に設けられているが、本考案はこれに限ったものではなく、例えば、図７に示すように、弾性部２と骨格部３とを別々に製造しておいて、骨格部３の底面３０以外の外面に接着剤を塗布して弾性部２と骨格部３とを固定することでストレッチ器具１を製造してもよい。
【００３４】
また、上述した実施形態は本考案の代表的な形態を示したに過ぎず、本考案は、実施形態に限定されるものではない。即ち、本考案の骨子を逸脱しない範囲で種々変形して実施することができる。
【符号の説明】
【００３５】
１    ストレッチ器具
１０  支持面
２０  載置面
２１  第１載置面（第１載置部）
２２  第２載置面（第２載置部）
２３  第３載置面（第３載置部）
【図１】
0003177725.tif 000003
【図２】
0003177725.tif 000004
【図３】
0003177725.tif 000005
【図４】
0003177725.tif 000006
【図５】
0003177725.tif 000007
【図６】
0003177725.tif 000008
【図７】
0003177725.tif 000009
【図８】
0003177725.tif 000010
【図９】
0003177725.tif 000011